(57)【要約】【課題】エスカレータシステムにおいて、より安全に移動手摺と建物の天井との交差部分のいわゆる三角部における安全対策を行うことである。【解決手段】エスカレータ用警告板において、移動手摺１７と建物の天井部１５との交差部分に設けられる注意喚起用板であって、一方側の端面から入れられた光を面内において面発光させる導光板と、導光板の一方側の端面に設けられる警告部４０であって、導光板に近接する乗客を検知したときに、導光板に対し光を入力する警告部４０と、を備え、警告部４０は、導光板に近接する乗客を検知する検知部と、検知部によって乗客が検知されたときに、導光板の一方側の端面から光を入力してその面内で光を拡散して面発光させる光源部と、を有する。【選択図】図１
2010241552.tif 000002
【特許請求の範囲】
【請求項１】
移動手摺と建物の天井部との交差部分に設けられる注意喚起用板であって、一方側の端面から入れられた光をその内部において発光させる導光板と、
導光板の一方側の端面に設けられる警告部であって、導光板に近接する乗客を検知したときに、導光板に対し光を入力する警告部と、
を備えることを特徴とするエスカレータ用警告板。
【請求項２】
請求項１に記載のエスカレータ用警告板において、
警告部は、
導光板に近接する乗客を検知する検知部と、
検知部によって乗客が検知されたときに、導光板の一方側の端面から光を入力して、導光板の内部で光を拡散して発光させる光源部と、
を有することを特徴とするエスカレータ用警告板。
【請求項３】
請求項２に記載のエスカレータ用警告板において、
光源部は、発光ダイオードを含んで構成されることを特徴とするエスカレータ用警告板。
【請求項４】
請求項１から請求項３のいずれか１に記載のエスカレータ用警告板において、
導光板は、
本体平板部と、
一方端が本体平板部の一方側の端面に取り付けられ、他方端が建物の天井部に取り付けられることで本体平板部を建物の天井部に吊り下げる連結部材と、
本体平板部の側端面に沿って延伸して設けられる円筒部と、
を有し、
警告部は、円筒部の上部に嵌め込まれるための嵌め込み開口部を有することを特徴とするエスカレータ用警告板。
【請求項５】
請求項４に記載のエスカレータ用警告板において、
警告部は、一旦開いてから連結部材の一方端側を挟みこむ挟み部を有することを特徴とするエスカレータ用警告板。
【請求項６】
請求項１から請求項５のいずれか１に記載のエスカレータ用警告板において、
導光板は、アクリル樹脂で構成されることを特徴とするエスカレータ用警告板。
【請求項７】
請求項１から請求項６のいずれか１に記載のエスカレータ用警告板において、
導光板の内側面には、導光板に近接する乗客に対して注意喚起を促す文字が掘り込まれていることを特徴とするエスカレータ用警告板。
【請求項８】
請求項１から請求項７のいずれか１に記載のエスカレータ用警告板において、
警告部は、導光板に近接する乗客を検知したときに、音声によって警告を行う音声警告手段をさらに有することを特徴とするエスカレータ用警告板。
【発明の詳細な説明】
【技術分野】
【０００１】
本発明は、エスカレータ用警告板に係り、特に、移動手摺と建物の天井部との交差部分に設けられるエスカレータ用警告板に関する。
【背景技術】
【０００２】
現在、商業施設などの様々な場所においてエスカレータシステムが設けられている。エスカレータシステムには、ステップと共に移動する移動手摺が欄干上に設けられ、通常、乗客はその移動手摺に手を添えながらステップの適正位置に乗車する。移動手摺の高さは、乗客が持ち易い高さに設定されているため、移動手摺の上方から外側に身を乗り出したり、移動手摺から外側へ荷物がはみ出たりすることがある。また、エスカレータシステムには、移動手摺と建物の天井部とが交差する部分であるいわゆる三角部が形成され、移動手摺の上方から外側に身を乗り出すと、落下する危険があるだけでなく、身を乗り出したまま移動を続けると、この三角部に挟まれるおそれもあるため、エスカレータシステムには様々な安全対策が講じられている。
【０００３】
上記安全対策として、例えば、特許文献１には、移動手摺と建物の天井との交差部分にデルタガードを配設してなるエスカレータにおいて、上記移動手摺の外側への利用者の身体の乗り出しを検知する検知手段を有することが述べられている。また、上記検知手段の出力により利用者に上記デルタガードとの衝突を警告する警告手段を有することが述べられている。ここで、検知手段として、音波を出射し、利用者から反射された音波を検出して、利用者の近接を検知する音波センサを有することが述べられている。また、警告手段として、上記音波センサが利用者の近接を検知すると作動して風を噴き出すブロアを有することが述べられている。
【先行技術文献】
【特許文献】
【０００４】
【特許文献１】特開平６−２７８９８２号公報
【発明の概要】
【発明が解決しようとする課題】
【０００５】
上記特許文献１の構成を用いることで、エスカレータシステムの三角部における安全対策を行うことができる。しかし、特許文献１の構成では、エスカレータシステムの利用者である乗客に対し、風を用いて警告を行っているため、エスカレータシステムの設置場所によっては、適切に警告が行えない場合もありうる。
【０００６】
本発明の目的は、エスカレータシステムにおいて、移動手摺と建物の天井との交差部分のいわゆる三角部においてより適切に警告を行うことである。
【課題を解決するための手段】
【０００７】
本発明に係るエスカレータ用警告板は、移動手摺と建物の天井部との交差部分に設けられる注意喚起用板であって、一方側の端面から入れられた光をその内部において発光させる導光板と、導光板の一方側の端面に設けられる警告部であって、導光板に近接する乗客を検知したときに、導光板に対し光を入力する警告部と、を備えることを特徴とする。
【０００８】
また、本発明に係るエスカレータ用警告板において、警告部は、導光板に近接する乗客を検知する検知部と、検知部によって乗客が検知されたときに、導光板の一方側の端面から光を入力して、導光板の内部で光を拡散して発光させる光源部と、を有することが好ましい。
【０００９】
また、本発明に係るエスカレータ用警告板において、光源部は、発光ダイオードを含んで構成されることが好ましい。
【００１０】
また、本発明に係るエスカレータ用警告板において、導光板は、本体平板部と、一方端が本体平板部の一方側の端面に取り付けられ、他方端が建物の天井部に取り付けられることで本体平板部を建物の天井部に吊り下げる連結部材と、本体平板部の側端面に沿って延伸して設けられる円筒部と、を有し、警告部は、円筒部の上部に嵌め込まれるための嵌め込み開口部を有することが好ましい。
【００１１】
また、本発明に係るエスカレータ用警告板において、警告部は、一旦開いてから連結部材の一方端側を挟みこむ挟み部を有することが好ましい。
【００１２】
また、本発明に係るエスカレータ用警告板において、導光板は、アクリル樹脂で構成されることが好ましい。
【００１３】
また、本発明に係るエスカレータ用警告板において、導光板の内側面には、導光板に近接する乗客に対して注意喚起を促す文字が掘り込まれていることが好ましい。
【００１４】
また、本発明に係るエスカレータ用警告板において、警告部は、導光板に近接する乗客を検知したときに、音声によって警告を行う音声警告手段をさらに有することが好ましい。
【発明の効果】
【００１５】
上記構成によれば、警告部から入れられた光をその内部において発光させる導光板を有する。これにより、エスカレータ用警告板に近接した乗客に対し視覚によって警告することができる。したがって、エスカレータシステムにおいて、移動手摺と建物の天井との交差部分のいわゆる三角部においてより適切に警告を行うことができる。
【図面の簡単な説明】
【００１６】
【図１】本発明に係る実施の形態において、エスカレータシステムの三角部付近を示す図である。
【図２】本発明に係る実施の形態において、エスカレータシステムの警告部の斜視図である。
【図３】本発明に係る実施の形態において、エスカレータシステムの警告部の平面図である。
【図４】本発明に係る実施の形態において、エスカレータシステムの警告部の変形例を示す図である。
【発明を実施するための形態】
【００１７】
以下に、本発明に係る実施の形態について添付図面を参照しながら詳細に説明する。また、以下では、警告部は、光を用いて警告を行うものとして説明するが、光とともに音声による警告も併せて行うものであってもよい。また、以下では、警告部の光源部は、発光ダイオードを用いるものとして説明するが、可視光領域の光を発する光源であればよい。
【００１８】
以下では、全ての図面において同様の要素には同一の符号を付し、重複する説明を省略する。また、本文中の説明においては、必要に応じそれ以前に述べた符号を用いるものとする。
【００１９】
図１は、エスカレータシステム１０の三角部１２付近を示す図である。エスカレータシステム１０は、移動手摺１７と建物の天井部１５との交差部分であるいわゆる三角部１２における安全性の向上を１つの目的としたシステムである。エスカレータシステム１０は、三角部１２において、固定保護板１３と、可動警告板１４とを含んで構成されるガード板を備える。エスカレータシステム１０は、上りエスカレータであって、図１に示すステップ１６及び移動手摺１７は上方に向かって移動しているものとして説明する。
【００２０】
固定保護板１３は、三角部１２に乗客等が挟まれることを防止するために、建物の天井部１５に設置される。固定保護板１３は、後述する可動警告板１４のように、大きく揺動することなく、固定対象である天井部１５に固定されている。したがって、移動手摺１７の上方から身を乗り出した乗客が固定保護板１３に接触した場合でも、固定保護板１３は大きく揺動することないため、その乗客は固定保護板１３から受ける抵抗力によって乗り出し行為が強制的に禁止される。
【００２１】
固定保護板１３は、平板部２０と、円筒部２１と、取り付け部２２とを含んで構成される。ここで、平板部２０と円筒部２１とは一体であり、これら２つの部分をあわせて固定側導光板と呼ぶこととする。平板部２０は、一方側の端面から入れられた光を面内において面発光させるアクリル板であって、取り付け部２２によって、移動手摺１７の進行方向に沿うように、かつ、天井部１５の端面と平板部２０の平面とがほぼ同一平面となるように取り付けられる。
【００２２】
また、平板部２０は、上階側の方向に向かって面積が小さくなる三角形状を有する平板部材であり、平板部２０の下階側の側端面には、衝突時の衝撃を抑制する等のために、円筒形状を有する円筒部２１が平板部２０の側端面に沿って延伸して設けられる。円筒部２１は、平板部２０と同じアクリル樹脂で構成されている。平板部２０の上側端部には、取り付け部２２が設けられ、取り付け部２２によって固定保護板１３が天井部１５に取り付けられている。
【００２３】
図１に示される可動警告板１４は、三角部１２において、固定保護板１３よりも下階側に取り付けられる。可動警告板１４は、固定保護板１３と同様に、三角部１２に乗客が挟まれることを防止するために設置されるエスカレータ用警告板であるが、固定保護板１３のように固定的な構造ではなく、エスカレータシステム１０の進行方向及び外側方向に対して揺動するように、天井部１５から吊り下げられている。図１に示されるように可動警告板１４は、本体平板部３０と、円筒部３１と、警告部４０と、連結部材３２とを含んで構成される。ここで、本体平板部３０と円筒部３１とは一体であり、それら２つの部分をあわせたものを可動側導光板と呼ぶこととする。連結部材３２は、一方端が本体平板部３０の上側端面と接続され、他方端が建物の天井部１５と接続されるチェーンである。
【００２４】
本体平板部３０は、一方側の端面から入れられた光を面内において面発光させるアクリル板であって、連結部材３２によって、移動手摺１７の進行方向に沿うように、かつ、天井部１５の端面と本体平板部３０の平面とがほぼ同一平面となるように設置される。本体平板部３０は、上階側方向に向かって面積が小さくなる台形形状を有しており、本体平板部３０の下階側の側端面には、衝突時の衝撃を抑制する等のために円筒形状を有する円筒部３１が本体平板部３０の側端面に沿って延伸して設けられる。ここで、本体平板部３０の上側端面と円筒部３１の上側端面とはほぼ同一平面となるように配置されている。なお、円筒部３１は、本体平板部３０と同じアクリル樹脂で構成される。このように、本体平板部３０と円筒部３１とから構成される可動側導光板は、一方側である上側端面から入れられた光をその内部において発光させる導光板である。
【００２５】
次に、可動警告板１４の警告部４０について説明する。図２は、警告部４０の斜視図である。図３は、警告部４０の平面図である。
【００２６】
警告部４０は、警告本体部４２と警告取付部４４とを含んで構成される。警告本体部４２は、円筒部３１とほぼ同じ形状の円筒形状を有し、その下部には円筒部３１の上部に嵌め込むことが可能な嵌め込み開口部４２５が設けられている。警告本体部４２の内部には、検知部４２２と、光源部４２４と、検知部４２２と光源部４２４とに電力を供給する電池（図示しない）とが設けられている。なお、警告本体部４２と警告取付部４４とは一体である。
【００２７】
検知部４２２は、三角部１２付近に乗客が近づいてきたことを検知する機能を有する。具体的には、検知部４２２は、乗客から放出される赤外線エネルギを検出する集電型赤外線センサであり、三角部１２付近の所定の領域内に入ってきた乗客を検出することができる。
【００２８】
光源部４２４は、検知部４２２が乗客を検知したときに、可動警告板１４の円筒部３１の一方側である上側端面から円筒部３１の内部に光を入力する機能を有する。光源部４２４が発する光は、可視光領域の光を発する光源であり、ここでは、発光ダイオードを用いて構成される。そして、光源部４２４から入力された光は、円筒部３１の内部で拡散されて発光させることで乗客に対し注意喚起を促すための警告を行うことができる。なお、円筒部３１の内側面に、「当たらないようにして下さい」等の文字が彫りこまれているとよりいっそう好適な注意喚起を促すことができる。
【００２９】
警告取付部４４は、警告本体部４２から延伸して形成される部分であり、ほぼ直方体形状を有している。警告取付部４４の下部には、本体平板部３０の上側端面に嵌合するための嵌め込み溝４４８が形成されている。警告取付部４４は、第１取付部４４１と、第２取付部４４２と、第１取付部４４１と第２取付部４４２とに跨って設けられる蝶番４４６とを含んで構成される。蝶番４４６によって、第１取付部４４１と第２取付部４４２とは矢印Ａ方向に開き、また矢印Ｂ方向に閉じる開動動作を行うことができる。
【００３０】
警告取付部４４には、第１取付部４４１と第２取付部４４２が開いているときは２つに割れており、第１取付部４４１と第２取付部４４２が閉じたときに１つとなる貫通孔４４４が形成される。貫通孔４４４は、連結部材３２を中に通す孔である。なお、図示しないが警告取付部４４には、第１取付部４４１と第２取付部４４２との閉じた状態を維持するための部材、例えばネジ部材が設けられている。
【００３１】
ここで、警告部４０を取り付ける手順について説明する。図示しないネジ部材を緩めて、第１取付部４４１と第２取付部４４２とを一旦開いた状態とし、挟み部として機能する第１取付部４４１と第２取付部４４２との間で連結部材３２を挟み込み、第１取付部４４１と第２取付部４４２を閉じた状態として、貫通孔４４４の中に連結部材３２を通す。
【００３２】
そして、再び図示しないネジ部材を締め付けて、第１取付部４４１と第２取付部４４２とを閉じたままの状態とする。次に、警告部４０の嵌め込み開口部４２５および嵌め込み溝４４８と、円筒部３１の上部および本体平板部３０の上側端面との位置関係を調整して、それぞれ嵌め込みを行う。これにより、警告部４０が円筒部３１と本体平板部３０とにしっかりと固定される。
【００３３】
続いて、上記構成からなるエスカレータシステム１０の動作について、図１〜図３を参照して説明する。エスカレータシステム１０を利用する乗客が移動手摺１７の上方から乗り出した状態で上階側に移動し、そのまま三角部１２付近において、警告部４０の検知部４２２が検知できる領域内にその乗客が侵入してきた場合に、検知部４２２によって乗客の検出が行われる。
【００３４】
検知部４２２によって乗客の検出が行われた場合には、光源部４２４により、円筒部３１の一方端側である上側端面から光が入力される。そして、その入力された光が円筒部３１の内部において拡散されて発光されることで、その乗客に対して注意喚起を促すことができる。これにより、エスカレータシステム１０の三角部１２において、より適切に警告を行うことができる。
【００３５】
次に、エスカレータシステム１０の可動警告板１４の変形例であるエスカレータシステム１１の可動警告板について説明する。図４は、エスカレータシステム１１の警告部５２を示す図である。エスカレータシステム１１の可動警告板とエスカレータシステム１０の可動警告板１４との相違は、警告部５２である。
【００３６】
警告部５２は、ほぼ直方体形状を有し、その下部には本体平板部３０の上側端面に嵌め込むための嵌め込み溝５２２が形成されている。また、警告部５２の内部には、警告部４０と同様に、検知部４２２と、光源部４２４と、検知部４２２と光源部４２４に対して電力を供給する電池（図示しない）が配置されている。ここで、警告部５２の取り付け手順について説明する。警告部５２は、連結部材３２が設けられている箇所を避けて、本体平板部３０の上側端面に嵌め込んで取り付けられる。
【００３７】
上記エスカレータシステム１１の構成によれば、乗客が移動手摺１７の上方から乗り出した状態で上階側に移動し、そのまま三角部１２付近において、警告部４０の検知部４２２が検知できる領域内にその乗客が侵入してきた場合に、検知部４２２によって検知される。
【００３８】
そして、検知部４２２が乗客を検知したときに、光源部４２４が本体平板部３０の上側端面から入力される。そして、その入力された光が本体平板部３０の面内において面発光されることで乗客に対して注意喚起を促すことができる。これにより、エスカレータシステム１１の三角部１２において、より適切に警告を行うことができる。なお、本体平板部３０の内側面において「当たらないよう内側でご利用下さい」等の文字を掘り込んでおけば、よりいっそう好適に注意喚起を促すことが可能となる。
【符号の説明】
【００３９】
１０，１１  エスカレータシステム、１２  三角部、１３  固定保護板、１４  可動警告板、１５  天井部、１６  ステップ、１７  移動手摺、２０  平板部、２１  円筒部、２２  取り付け部、３０  本体平板部、３１  円筒部、３２  連結部、４０，５２  警告部、４２  警告本体部、４４  警告取付部、４２２  検知部、４２４  光源部、４２５  嵌め込み開口部、４４１  第１取付部、４４２  第２取付部、４４４  貫通孔、４４６  蝶番、４４８，５２２    嵌め込み溝。
【図１】
2010241552.tif 000003
【図２】
2010241552.tif 000004
【図３】
2010241552.tif 000005
【図４】
2010241552.tif 000006